(57)【要約】【課題】本発明は搬送される原稿の読取時にゴミ等により発生する黒スジ及び白スジ状の欠陥画素の原因系の検出及び補正を行う画像処理装置を提供する。【解決手段】画像読取装置１は、搬送原稿Ｇの読取位置に配設されている白板５ａを、原稿読取前または所定のタイミングで読み取って、白板５ａを読み取ったときの画像信号を所定の規定値と画素毎に比較して欠陥画素を検出し、欠陥画素の画素数が規定画素数以上または欠陥画素の連続数が規定画素連続数であると、異常であると判定する異常判定処理を行い、また、異常と判定すると、警告報知または欠陥画素位置のシェーディング補正用の基準データを変更補正する。したがって、実用上問題となる程度の欠陥画素があるときに異常と判定して、警告または補正し、利用性を向上させつつ、安価に画像品質を向上させることができる。【選択図】          図３
2004222180.tif 000002
【特許請求の範囲】
【請求項１】
少なくとも搬送される原稿に読取位置で静止する読取手段から読取光を照射して、当該読取光の反射光を前記読取手段の光電変換素子で画像データに変換して原稿の画像を読み取るとともに、白基準板を読み取って取得した基準データに基づいて前記原稿を読み取った画像データをシェーディング補正する画像処理装置において、前記読取位置の原稿通路に原稿が存在しないときに前記読取手段からの読取光が照射される位置に白板が配設され、前記原稿読取前または所定のタイミングで前記読取手段で前記白板を読み取って、当該白板を読み取ったときの画像信号の濃度を示す値を所定の規定値と画素毎に比較して欠陥画素を検出し、当該欠陥画素の画素数が所定の規定画素数以上であると、異常であると判定する異常判定処理を行うことを特徴とする画像処理装置。
【請求項２】
少なくとも搬送される原稿に読取位置で静止する読取手段から読取光を照射して、当該読取光の反射光を前記読取手段の光電変換素子で画像データに変換して原稿の画像を読み取るとともに、白基準板を読み取って取得した基準データに基づいて前記原稿を読み取った画像データをシェーディング補正する画像処理装置において、前記読取位置の原稿通路に原稿が存在しないときに前記読取手段からの読取光が照射される位置に白板が配設され、前記原稿読取前または所定のタイミングで前記読取手段で前記白板を読み取って、当該白板を読み取ったときの画像信号の濃度を示す値を所定の規定値と画素毎に比較して欠陥画素を検出し、当該欠陥画素の連続数が所定の規定画素連続数以上であると、異常であると判定する異常判定処理を行うことを特徴とする画像処理装置。
【請求項３】
前記画像処理装置は、前記規定画素数または前記規定画素連続数が適宜変更可能であり、当該規定画素数または当該規定画素連続数が変更されると、当該変更後の規定画素数または規定画素連続数に基づいて異常判定を行うことを特徴とする請求項１または請求項２記載の画像処理装置。
【請求項４】
前記画像処理装置は、前記読取手段による前記白板の読み取りを異なるライン位置で複数回行って、前記欠陥画素の最も少ないライン位置で読み取ったときの画像信号に基づいて前記異常判定を行うとともに、当該異常判定で異常と判定されないときには、当該欠陥画素の最も少ないライン位置で前記原稿の読み取りを行うことを特徴とする請求項１から請求項３のいずれかに記載の画像処理装置。
【請求項５】
前記画像処理装置は、所定の異常報知手段を備え、前記異常であると判定すると、当該異常報知手段から異常である旨を報知出力する異常報知処理と、当該異常判定の元となった欠陥画素位置の前記基準データを変更補正する補正処理と、のうちいずれか一方を行うことを特徴とする請求項１から請求項４のいずれかに記載の画像処理装置。
【請求項６】
前記画像処理装置は、前記異常報知処理と前記補正処理を選択する選択手段を備え、前記異常であると判定すると、当該選択手段での選択に応じて前記異常報知処理または前記補正処理を行うことを特徴とする請求項５記載の画像処理装置。
【発明の詳細な説明】
【０００１】
【発明の属する技術分野】
本発明は、画像処理装置に関し、詳細には、搬送される原稿を読み取る際にゴミ等により発生する黒スジ及び白スジ状の欠陥画素の原因系の検出及び補正を行う画像処理装置に関する。
【０００２】
【従来の技術】
【特許文献１】
特開平１１−１１２８００号公報
【特許文献２】
特開２０００−１９６８８１号公報
スキャナ装置、複写装置及びファクシミリ装置等の原稿の画像を光学的に読み取る画像処理装置においては、従来から複数枚の原稿を効率的に読み取るために、ＳＤＦ（シートスルー・ドキュメント・フィーダ）を使用して、複数枚の原稿を１枚ずつ分離して読取部の読取位置に搬送して、読取部のコンタクトガラス上を搬送される原稿に、当該コンタクトガラスの下方に配置された読取部の光源から光を投射して、原稿で反射された光を所定の光路を通過させてＣＣＤ（ＣｈａｒｇｅＣｏｕｐｌｅｄ  Ｄｅｖｉｃｅ  ）等の光電変換素子に入射して、原稿の画像を読み取っている。
【０００３】
このような画像処理装置においては、その光路上の部品にゴミやほこり及びその他の異物等（以下、ゴミ等という。）が付着すると、当該ゴミ等が黒スジや白スジ等となって画像に現れ、画質を低下させる。このようなゴミ等による画質の悪化は、ＳＤＦを用いて原稿をコンタクトガラス上を搬送して、コンタクトガラス上の原稿を読み取る場合に、特に、発生する頻度が多い。これは、原稿自身がゴミ等を搬送し、静電気等の影響によってコンタクトガラス上等にゴミ等を付着させるからである。
【０００４】
そこで、本出願人は、先に、画像を光学的に読み取って、デジタル的に処理する機能を備えた画像処理装置において、基準板の読み取りデータを記憶する基準板データ記憶手段と、前記基準板データ記憶手段に記憶されたデータの中から、隣接データとの出力差が予め決められた値以上となる異常データを検出する基準板異常データ検出手段と、前記基準板異常データ検出手段によって検出された異常データの異常値を隣接データの出力値で補正する基準板異常値補正手段と、前記基準板異常値補正手段によって補正された該異常データの出力値を用いて前記基準板データ記憶手段の該異常データの出力値を書き換える基準板データ書換手段と、を備えた画像処理装置を提案している（特許文献１参照）。
【０００５】
すなわち、この従来技術は、基準板を読み取った際に異常値を検出すると、当該異常値を隣接データで書き換えて補正して、ゴミ等の影響が読取画像に現れないようにしている。
【０００６】
また、本出願人は、先に、シートスルー・ドキュメント・フィーダを使用した第１の読み取りモードと圧板を使用した第２の読み取りモードとを備え、いずれかのモードで原稿を読み取り、読み取った画像情報をディジタル変換された画像信号に変換し、ディジタル変換された画像信号を顕像として出力可能な画像信号になるように処理する画像処理装置において、前記第１の読み取りモードと第２の読み取りモードとでそれぞれ読み取り補正の最適化を独立して行う画像処理手段を備えた画像処理装置を提案している（特許文献２参照）。
【０００７】
すなわち、この従来技術は、ＳＤＦを使用した場合の読み取り補正の最適化と圧板を使用した場合の読み取り補正の最適化を独立に行って、出力画像を最適化するものである。
【０００８】
また、従来からスキャナ装置、複写装置及びファクシミリ装置等の原稿の画像を光学的に読み取る画像処理装置においては、原稿の読取前または所定のタイミングで、白基準板を読み取って、当該白基準板を読み取ったときの画像データを基準データとして記憶して、原稿を読み取ったときの画像データを当該基準データで補正することで、原稿を照射する光源の照射ムラや光電変換素子であるＣＣＤ等の感度ばらつきを補正するシェーディング補正を行っている。
【０００９】
【発明が解決しようとする課題】
しかしながら、このような従来の技術にあっては、通常のシェーディング補正以外にゴミ等による異常画像を補正する補正手段を設けて画像品質を向上させているため、画像処理が複雑化・大型化し、ハードウェアで処理しても、また、ソフトウェアで処理しても、回路規模が大型化して、価格が高くなったり、処理時間が長くなり、利用性が悪化するおそれがあった。
【００１０】
そこで、本発明は、欠陥画素を適切に検出し、また、検出後の補正を通常のシェーディング補正処理と共通化して、回路規模を簡略化し、また、回路やソフトウェアへの負荷の増大を抑えて、処理時間を速くし、安価に画像品質を向上させることのできる利用性の良好な画像処理装置を提供することを目的としている。
【００１１】
そこで、請求項１記載の発明は、少なくとも搬送される原稿に読取位置で静止する読取手段から読取光を照射して、当該読取光の反射光を読取手段の光電変換素子で画像データに変換して原稿の画像を読み取るとともに、白基準板を読み取って取得した基準データに基づいて原稿を読み取った画像データをシェーディング補正するに際して、読取位置の原稿通路に原稿が存在しないときに読取手段からの読取光が照射される位置に配設されている白板を、原稿読取前または所定のタイミングで読取手段で読み取って、当該白板を読み取ったときの画像信号の濃度を示す値を所定の規定値と画素毎に比較して欠陥画素を検出し、当該欠陥画素の画素数が所定の規定画素数以上であると、異常であると判定する異常判定処理を行うことにより、異常画像を補正する大型の回路やソフトウェアを設けることなく、たとえ欠陥画素が検出されても、欠陥画素が少なく実使用上耐えうる程度であるときには、異常と判定することなく、画像読取を継続し、実用上問題となる程度のときに異常と判定し、利用性を向上させつつ、安価に画像品質の良好な画像を処理することのできる画像処理装置を提供することを目的としている。
【００１２】
請求項２記載の発明は、少なくとも搬送される原稿に読取位置で静止する読取手段から読取光を照射して、当該読取光の反射光を読取手段の光電変換素子で画像データに変換して原稿の画像を読み取るとともに、白基準板を読み取って取得した基準データに基づいて原稿を読み取った画像データをシェーディング補正するに際して、読取位置の原稿通路に原稿が存在しないときに読取手段からの読取光が照射される位置に配設されている白板を、原稿読取前または所定のタイミングで読取手段で読み取って、当該白板を読み取ったときの画像信号の濃度を示す値を所定の規定値と画素毎に比較して欠陥画素を検出し、当該欠陥画素の連続数が所定の規定画素連続数以上であると、異常であると判定する異常判定処理を行うことにより、異常画像を補正する大型の回路やソフトウェアを設けることなく、たとえ欠陥画素が検出されても、欠陥画素が恒久的なものではなく一時的で実使用上耐えうる程度であるときには、異常と判定することなく、画像読取を継続し、実用上問題となる程度のときに適切に異常と判定し、利用性を向上させつつ、安価に画像品質のより一層良好な画像を処理することのできる画像処理装置を提供することを目的としている。
【００１３】
請求項３記載の発明は、規定画素数または規定画素連続数を適宜変更可能とし、当該規定画素数または当該規定画素連続数が変更されると、当該変更後の規定画素数または規定画素連続数に基づいて異常判定を行うことにより、画像処理装置の利用環境や利用者の利用目的等に応じて異常判定レベルを適宜変更可能とし、利用性のより一層良好な画像処理装置を提供することを目的としている。
【００１４】
請求項４記載の発明は、読取手段による白板の読み取りを異なるライン位置で複数回行って、欠陥画素の最も少ないライン位置で読み取ったときの画像信号に基づいて異常判定を行うとともに、当該異常判定で異常と判定されないときには、当該欠陥画素の最も少ないライン位置で原稿の読み取りを行うことにより、画像処理装置の使用環境や使用状況によって発生する黒スジの原因となるゴミ・汚れ等の検出位置を調整することによって、たとえ欠陥画素が少なく異常が認められても実使用上耐えうる状態に回避できる場合に、継続して使用できるようにし、利用性のより一層良好な画像処理装置を提供することを目的としている。
【００１５】
請求項５記載の発明は、異常であると判定すると、異常報知手段から異常である旨を報知出力する異常報知処理と、当該異常判定の元となった欠陥画素位置のシェーディング補正の基準データを変更補正する補正処理と、のうちいずれか一方を行うことにより、異常を利用者に認識させ、または、欠陥画素が原稿読取画像に影響することを防止し、ゴミ等の付着に対して適切に対処して、利用性を向上させつつ、画像品質を向上させることのできる画像処理装置を提供することを目的としている。
【００１６】
請求項６記載の発明は、異常であると判定すると、異常報知処理と補正処理を選択する選択手段での選択に応じて異常報知処理または補正処理を行うことにより、利用者の利用目的や利用形態に応じて、利用者が異常報知と補正を選択できるようにし、より一層利用性を向上させつつ、画像品質を向上させることのできる画像処理装置を提供することを目的としている。
【００１７】
【課題を解決するための手段】
請求項１記載の発明の画像処理装置は、少なくとも搬送される原稿に読取位置で静止する読取手段から読取光を照射して、当該読取光の反射光を前記読取手段の光電変換素子で画像データに変換して原稿の画像を読み取るとともに、白基準板を読み取って取得した基準データに基づいて前記原稿を読み取った画像データをシェーディング補正する画像処理装置において、前記読取位置の原稿通路に原稿が存在しないときに前記読取手段からの読取光が照射される位置に白板が配設され、前記原稿読取前または所定のタイミングで前記読取手段で前記白板を読み取って、当該白板を読み取ったときの画像信号の濃度を示す値を所定の規定値と画素毎に比較して欠陥画素を検出し、当該欠陥画素の画素数が所定の規定画素数以上であると、異常であると判定する異常判定処理を行うことにより、上記目的を達成している。
【００１８】
上記構成によれば、少なくとも搬送される原稿に読取位置で静止する読取手段から読取光を照射して、当該読取光の反射光を読取手段の光電変換素子で画像データに変換して原稿の画像を読み取るとともに、白基準板を読み取って取得した基準データに基づいて原稿を読み取った画像データをシェーディング補正するに際して、読取位置の原稿通路に原稿が存在しないときに読取手段からの読取光が照射される位置に配設されている白板を、原稿読取前または所定のタイミングで読取手段で読み取って、当該白板を読み取ったときの画像信号の濃度を示す値を所定の規定値と画素毎に比較して欠陥画素を検出し、当該欠陥画素の画素数が所定の規定画素数以上であると、異常であると判定する異常判定処理を行うので、異常画像を補正する大型の回路やソフトウェアを設けることなく、たとえ欠陥画素が検出されても、欠陥画素が少なく実使用上耐えうる程度であるときには、異常と判定することなく、画像読取を継続して、実用上問題となる程度のときに異常と判定することができ、利用性を向上させることができるとともに、安価に画像品質の良好な画像を処理することができる。
【００１９】
請求項２記載の画像処理装置は、少なくとも搬送される原稿に読取位置で静止する読取手段から読取光を照射して、当該読取光の反射光を前記読取手段の光電変換素子で画像データに変換して原稿の画像を読み取るとともに、白基準板を読み取って取得した基準データに基づいて前記原稿を読み取った画像データをシェーディング補正する画像処理装置において、前記読取位置の原稿通路に原稿が存在しないときに前記読取手段からの読取光が照射される位置に白板が配設され、前記原稿読取前または所定のタイミングで前記読取手段で前記白板を読み取って、当該白板を読み取ったときの画像信号の濃度を示す値を所定の規定値と画素毎に比較して欠陥画素を検出し、当該欠陥画素の連続数が所定の規定画素連続数以上であると、異常であると判定する異常判定処理を行うことにより、上記目的を達成している。
【００２０】
上記構成によれば、少なくとも搬送される原稿に読取位置で静止する読取手段から読取光を照射して、当該読取光の反射光を読取手段の光電変換素子で画像データに変換して原稿の画像を読み取るとともに、白基準板を読み取って取得した基準データに基づいて原稿を読み取った画像データをシェーディング補正するに際して、読取位置の原稿通路に原稿が存在しないときに読取手段からの読取光が照射される位置に配設されている白板を、原稿読取前または所定のタイミングで読取手段で読み取って、当該白板を読み取ったときの画像信号の濃度を示す値を所定の規定値と画素毎に比較して欠陥画素を検出し、当該欠陥画素の連続数が所定の規定画素連続数以上であると、異常であると判定する異常判定処理を行うので、異常画像を補正する大型の回路やソフトウェアを設けることなく、たとえ欠陥画素が検出されても、欠陥画素が恒久的なものではなく一時的で実使用上耐えうる程度であるときには、異常と判定することなく、画像読取を継続して、実用上問題となる程度のときに適切に異常と判定することができ、利用性を向上させることができるとともに、安価に画像品質のより一層良好な画像を処理することができる。
【００２１】
上記各場合において、例えば、請求項３に記載するように、前記画像処理装置は、前記規定画素数または前記規定画素連続数が適宜変更可能であり、当該規定画素数または当該規定画素連続数が変更されると、当該変更後の規定画素数または規定画素連続数に基づいて異常判定を行うものであってもよい。
【００２２】
上記構成によれば、規定画素数または規定画素連続数を適宜変更可能とし、当該規定画素数または当該規定画素連続数が変更されると、当該変更後の規定画素数または規定画素連続数に基づいて異常判定を行うので、画像処理装置の利用環境や利用者の利用目的等に応じて異常判定レベルを適宜変更可能とすることができ、利用性をより一層向上させることができる。
【００２３】
また、例えば、請求項４に記載するように、前記画像処理装置は、前記読取手段による前記白板の読み取りを異なるライン位置で複数回行って、前記欠陥画素の最も少ないライン位置で読み取ったときの画像信号に基づいて前記異常判定を行うとともに、当該異常判定で異常と判定されないときには、当該欠陥画素の最も少ないライン位置で前記原稿の読み取りを行うものであってもよい。
【００２４】
上記構成によれば、読取手段による白板の読み取りを異なるライン位置で複数回行って、欠陥画素の最も少ないライン位置で読み取ったときの画像信号に基づいて異常判定を行うとともに、当該異常判定で異常と判定されないときには、当該欠陥画素の最も少ないライン位置で原稿の読み取りを行うので、画像処理装置の使用環境や使用状況によって発生する黒スジの原因となるゴミ・汚れ等の検出位置を調整することによって、たとえ欠陥画素が少なく異常が認められても実使用上耐えうる状態に回避できる場合に、継続して使用できるようにすることができ、利用性をより一層向上させることができる。
【００２５】
さらに、例えば、請求項５に記載するように、前記画像処理装置は、所定の異常報知手段を備え、前記異常であると判定すると、当該異常報知手段から異常である旨を報知出力する異常報知処理と、当該異常判定の元となった欠陥画素位置の前記基準データを変更補正する補正処理と、のうちいずれか一方を行うものであってもよい。
【００２６】
上記構成によれば、異常であると判定すると、異常報知手段から異常である旨を報知出力する異常報知処理と、当該異常判定の元となった欠陥画素位置のシェーディング補正の基準データを変更補正する補正処理と、のうちいずれか一方を行うので、異常を利用者に認識させ、または、欠陥画素が原稿読取画像に影響することを防止することができ、ゴミ等の付着に対して適切に対処して、利用性を向上させることができるとともに、画像品質を向上させることができる。
【００２７】
また、例えば、請求項６に記載するように、前記画像処理装置は、前記異常報知処理と前記補正処理を選択する選択手段を備え、前記異常であると判定すると、当該選択手段での選択に応じて前記異常報知処理または前記補正処理を行うものであってもよい。
【００２８】
上記構成によれば、異常であると判定すると、異常報知処理と補正処理を選択する選択手段での選択に応じて異常報知処理または補正処理を行うので、利用者の利用目的や利用形態に応じて、利用者が異常報知と補正を選択できるようにすることができ、より一層利用性を向上させることができるとともに、画像品質を向上させることができる。
【００２９】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００３０】
図１〜図９は、本発明の画像処理装置の一実施の形態を示す図であり、図１は、本発明の画像処理装置の一実施の形態を適用した画像読取装置１の正面概略構成図である。
【００３１】
図１において、画像読取装置（画像処理装置）１は、本体筐体２の上部に原稿読取台３が設けられており、原稿読取台３には、通常、コンタクトガラスが配設されている。原稿読取台３の上部は、開閉可能な原稿押さえ板４が設けられており、原稿押さえ板４は、原稿読取台３上にセットされた原稿Ｇを原稿読取台３のコンタクトガラスに密着させるように押さえつける。
【００３２】
図１の本体筐体２の右側上部には、原稿搬送装置５が配設されており、原稿搬送装置５は、ＳＤＦ（シートスルー・ドキュメント・フィーダ）ユニット６と原稿台７とを備えている。ＳＤＦユニット６内にはステッピングモータ８が備えられており、原稿台７上には、複数枚の原稿Ｇが重ねて載置される。
【００３３】
原稿搬送装置５は、原稿台７上に載置された複数枚の原稿Ｇを、ＳＤＦユニット６で、１枚ずつ分離して、ステッピングモータ８により回転駆動される分離ローラ１７と搬送ローラ１８、１９（図３参照）により原稿読取台３を通過させて図示しない排紙トレイ上に搬送する。
【００３４】
原稿読取台３のＳＤＦユニット６側の端部には、シェーディング補正用の白基準板９が配設されている。また、原稿搬送装置５は、原稿押さえ板４と一体構造となっており、原稿押さえ板４を開く際、原稿搬送装置５も一緒に開閉動作される。
【００３５】
原稿搬送装置５の配設されている本体筐体２の上面の原稿搬送経路には、コンタクトガラス窓３ａが形成されており、コンタクトガラス窓３ａの形成されている位置の上部のＳＤＦユニット６内には、透過ガラス３ｂと白板５ａが配設されている。この白板５ａは、コンタクトガラス窓３ａ及び透過ガラス３ｂを通した光路上、特に、コンタクトガラス窓３ａにゴミ等が付着しているか否かを検出する際に読み取られる。
【００３６】
本体筐体２の内部には、第１走行体１０、第２走行体１１、レンズ１２、ＣＣＤ（Ｃｈａｒｇｅ  Ｃｏｕｐｌｅｄ  Ｄｅｖｉｃｅ  ）１３及びステッピングモータ１４等からなる露光走査光学系（読取手段）１５が配設されており、第１走行体１０は、光源１０ａとミラー１０ｂを、また、第２走行体１１は、ミラー１１ａ、１１ｂを、それぞれ搭載している。
【００３７】
露光走査光学系１５は、第１走行体１０と第２走行体がステッピングモータ１４により水平方向（副走査方向）に移動され、第１走行体１０上の光源１０ａ、例えば、蛍光灯等から原稿読取台３上に載置された原稿Ｇに光を照射して、当該原稿Ｇで反射された光の反射光を第１走行体１０上のミラー１０ｂで第２走行体１１方向に反射し、第２走行体１１上のミラー１１ａ及びミラー１１ｂで第１走行体１０から入射される光を順次反射して、レンズ１２方向に出射させる。レンズ１２は、第２走行体１１から入射される光をＣＣＤ１３に集光して照射させる。ＣＣＤ（ラインセンサ）１３は、１次元に複数の光電変換素子としてＣＣＤ素子が配列されており、レンズ１２から入射される入射光を光電変換して、アナログの画像データ（画像信号）を出力する。また、露光走査光学系１５は、白基準板９に光を照射して、当該白基準板９からの反射光を上記同様にＣＣＤ１３に入射し、ＣＣＤ１３からシェーディング補正用の基準データとして出力する。
【００３８】
そして、画像読取装置１は、原稿読取モードとして、図２に示すように、原稿押さえ板４を開いて原稿読取台３上に載置された原稿Ｇの画像を読み取るブックモードと、図３に示すように、自動給紙装置２を用いて、ＳＤＦユニット６のステッピングモータ８により複数のローラ１７〜１９を回転駆動させて原稿台７上に載置された複数枚の原稿Ｇを１枚ずつコンタクトガラス窓３ａの所定の読取位置に搬送し、停止する第１走行体１０の光源１０ａから原稿Ｇに光を照射して、原稿Ｇの画像を読み取るＳＤＦモードとがある。
【００３９】
画像読取装置１は、ブックモードでは、図２に示したように、原稿押さえ板４を開いて原稿読取台３上に原稿Ｇがセットされると、光源１０ａを点灯させて、まず、白基準板９の読み取りを行って、シェーディング補正用の基準データを取得し、その後、ステッピングモータ１４を駆動させて、第１走行体１０及び第２走行体１１を、原稿ＧからＣＣＤ１３までの光路長が一定となる状態で副走査方向に移動して、原稿読取台３上の原稿Ｇの画像を読み取る。
【００４０】
また、画像読取装置１は、ＳＤＦモードでは、図３に示したように、原稿台７上に複数枚の原稿Ｇがセットされると、まず、光源１０ａを点灯させて、白基準板９ａの読み取りを行った後、スプリングモータ１４を駆動させて、第１走行体１０をコンタクトガラス窓３ａの読取位置まで移動させて、停止させる。次に、画像読取装置１は、ステッピングモータ８を駆動させて、原稿台７にセットされた原稿Ｇを分離ローラ１７で１枚ずつ分離して、搬送ローラ１８、１９で搬送していき、第１走行体１０の所定の読み取り位置まで搬送する。このとき、原稿Ｇは一定速度で搬送され、第１走行体１０及び第２走行体１１は停止したままで、第１走行体１０上の光源１０ａからコンタクトガラス窓３ａを通して当該搬送される原稿Ｇに光を照射して、当該原稿Ｇで反射された原稿Ｇからの光を、再度コンタクトガラス窓３ａを通して、ミラー１０ｂ及び第２走行体１１上のミラー１１ａ、１１ｂで反射して、レンズ１２を通してＣＣＤ１３に入射させ、ＣＣＤ１３で光電変換して、原稿Ｇの画像を読み取る。
【００４１】
そして、画像読取装置１は、ＳＤＦモードでは、コンタクトガラス窓３ａ上のゴミ等の有無を検出するために、異常検出タイミング、例えば、原稿Ｇの読み取り前、または、所定のタイミングで、コンタクトガラス窓３ａ及び透過ガラス３ｂを通して白板５ａを読み取って、当該白板５ａを読み取った画像信号を検出用画像信号Ｓｃ（図７、図８参照）として取得する。
【００４２】
上記画像読取装置１は、図４に示すように回路ブロック構成されており、ＣＰＵ（Ｃｅｎｔｒａｌ  Ｐｒｏｃｅｓｓｉｎｇ  Ｕｎｉｔ  ）２０、ＲＯＭ（Ｒｅａｄ  Ｏｎｌｙ  Ｍｅｍｏｒｙ）２１、ＲＡＭ（Ｒａｎｄｏｍ  Ａｃｃｅｓｓ  Ｍｅｍｏｒｙ）２２、光源ドライバ２３、光源１０ａ、ＣＣＤ駆動部２４、ＣＣＤ１３、画像処理部２５、スキャンバッファ２６、バッファコントローラ２７、Ｉ／Ｆコントローラ２８、モータドライバ２９、ステッピングモータ１４、モータドライバ３０及びステッピングモータ８等を備えている。
【００４３】
ＲＯＭ２１内には、画像読取装置１としての基本処理プログラムや後述する異常判定処理プログラム等の各種プログラム及びこれらの各種プログラムを実行するのに必要な各種データが格納されており、ＲＡＭ２２は、画像読取装置１の動作上必要な各種データを記憶する。ＣＰＵ２０は、ＲＯＭ２１内のプログラムに基づいて、ＲＡＭ２２をワークメモリとして利用しつつ、画像読取装置１の各部を制御して、画像読取装置１としてのシーケンスを実行するとともに、後述する異常判定処理を行う。
【００４４】
上記光源１０ａは、ＣＰＵ２０の制御下で、光源ドライバ２３により点灯・消灯制御され、ＣＣＤ１３は、ＣＣＤ駆動部２４により駆動されて、光電変換した画像データを画像処理部２５に出力する。
【００４５】
上記ステッピングモータ８は、モータドライバ３０により駆動され、ステッピングモータ１４は、モータドライバ２９により駆動される。
【００４６】
画像処理部２５には、スキャナバッファ（画像データ蓄積手段）２６が接続されており、画像処理部２５は、図５に示すように、アナログビデオ処理部４１、シェーディング補正処理部４２、画像データ処理部４３、タイミング発生部４４及び２値化処理部４５等を備えている。
【００４７】
アナログビデオ処理部４１には、ＣＣＤ１３の出力するアナログの画像信号Ｓａが入力され、アナログビデオ処理部４１は、アナログの画像信号Ｓａをデジタル変換してデジタルの画像データとしてシェーディング補正処理部４２に出力する。
【００４８】
シェーディング補正処理部４２は、白基準板９を読み取った際の画像データを内部ＲＡＭにシェーディング補正用の基準データとして記憶し、原稿Ｇを読み取った際の画像データに当該基準データに基づいてシェーディング補正を施して、シェーディング補正後の画像データを画像データ処理部４３に出力する。
【００４９】
画像データ処理部４３は、シェーディング補正処理部４２でシェーディング補正された画像データに、タイミング発生部４４から入力されるイネーブル信号ＥＮに基づいて、各種画像処理を施して、２値化処理部４５に出力し、２値化処理部４５は、画像処理された画像データを非可逆的に圧縮することで２値データあるいは多値データ（例えば、８ｂｉｔ）に変換してスキャナバッファ２６に出力し、また、スキャナバッファ２６の圧縮された画像データを伸長する。画像データ処理部４３は、例えば、ラインバッファに数ライン分の画像データを記憶させて、マトリックスを形成し、画像データに空間フィルタ処理等を施す。また、タイミング発生部４４は、モータドライバ２９及びモータドライバ３０にステッピングパルスＳＰを出力してモータドライバ２９及びモータドライバ３０を介してステッピングモータ１４及びステッピングモータ８の駆動タイミングを制御する。
【００５０】
画像処理部２５で、画像処理の行われた２値または多値の画像データＳｂは、バッファコントローラ２７の制御下でスキャンバッファ２６に蓄積され、Ｉ／Ｆコントローラ２８を介して図示しない他の情報処理装置、例えば、パーソナルコンピュータ等に出力される。
【００５１】
この画像処理部２５は、詳細には、図６に示すように、プリアンプ回路５１、可変増幅回路５２、Ａ／Ｄコンバータ５３、黒演算回路５４、シェーディング補正演算回路５５及びラインバッファ５６等を備えている。
【００５２】
画像読取装置１は、光源１０ａで原稿読取台３上にある原稿Ｇを照射した反射光を、シェーディング調整板１６を通して、レンズ１２によって集光し、ＣＣＤ１３に結像する。なお、図６では、説明簡単化のために、反射光を折り返すためのミラーは省略している。また、シェーディング調整板１６は、ＣＣＤ１３の中央部と端部での反射光量の差を無くすための光量調整の役割を果たすものである。すなわち、シェーディング演算処理において、あまりにＣＣＤ１３の中央部と端部で反射光量の差が有りすぎると、歪を多く含んだ演算結果しか得られないため、シェーディング調整板１６で、予め反射光量の差を無くした後に、シェーディング演算処理を行う。
【００５３】
そして、プリアンプ回路５１と可変増幅回路５２が、上記アナログビデオ処理部４１を構成し、Ａ／Ｄコンバータ５３、黒演算回路５４、シェーディング補正演算回路５５及びラインバッファ５６が、上記シェーディング補正処理部４２を構成している。
【００５４】
そして、画像データ処理部４３は、シェーディング補正処理部４２から入力されるシェーディング補正された画像データに対して、必要な各種画像処理を施して、２値化処理部４５に出力する。
【００５５】
そして、画像読取装置１は、図７に示すように、欠陥画素検出部６０がＩ／Ｆコントローラ７０を介してＣＰＵ２０に接続されており、欠陥画素検出部６０は、２値化処理部６１、欠陥画素保持部６２及びＳＲＡＭ（Ｓｔａｔｉｃ  ＲＡＭ  ）６３等を備えている。
【００５６】
欠陥画素検出部６０の２値化処理部６１には、異常検出タイミング、すなわち、原稿Ｇの読み取り前または所定のタイミングに、上記白板５ａを読み取ったときのＣＣＤ１３の出力する１ラインのアナログの検出用画像信号Ｓｃが入力され、２値化処理部６１は、入力される１ラインのアナログの検出用画像信号Ｓｃを２値化処理して、欠陥検出画像データとして欠陥画素保持部６２に出力する。
【００５７】
欠陥画素検出部６０は、この２値化処理部６１で検出用画像信号Ｓｃを２値化する際に欠陥画素の検出を行う。
【００５８】
すなわち、結果画素検出部６０は、コンタクトガラス窓３ａを通して白板５ａを読み取った際に、コンタクトガラス窓３ａの光路上に付着しているゴミ等の遮蔽物によって白板５ａで反射された反射光がＣＣＤ１３に入射するのを遮ることにより発生する欠陥画素を検出するが、この白板５ａで反射された反射光がゴミ等で遮られ、かつ、ゴミ等からの反射が小さいときには、図８の上側にゴミａ、ゴミｂとして示すように、ＣＣＤ１３に入射する光の量が少なくなって、欠陥画素の濃度が高くなる。そこで、２値化処理部６１での２値化において、予め所定の検出閾値（規定値）のレベルを、例えば、図８に検出閾値として示すように設定することで、検出用画像信号Ｓｃを２値化処理部６１で２値化処理すると、ゴミ等の付着による欠陥画素が「１」に変換され、正常画素が「０」に変換される。
【００５９】
欠陥画素保持部６２は、検出開始信号が入力され、検出開始信号がイネーブルになると、２値化処理部６１が２値化処理した欠陥検出画像データをＳＲＡＭ６３に格納することで、欠陥画素検出処理を行う。すなわち、欠陥画素保持部６２は、検出開始信号がイネーブルになると、２値化処理部６１で２値化処理されることで、欠陥画素を検出した検出結果である欠陥検出画像データをＳＲＡＭ６３に格納し、ＳＲＡＭ６３には、ＳＲＡＭ６３のアドレスとＣＣＤ１３の画素位置が対応する状態で欠陥検出画像データが欠陥画素保持部６２により格納される。
【００６０】
そして、ＣＰＵ２０は、Ｉ／Ｆコントローラ７０を介してＳＲＡＭ６３に格納されている欠陥検出画像データを読み出して、欠陥検出画像データに基づいて、光路上のゴミ等による原稿Ｇの画像の読み取りに異常画素が発生するか否かにより異常か否かを判定する異常判定処理を行う。
【００６１】
次に、本実施の形態の作用を説明する。本実施の形態の画像読取装置１は、ＳＤＦモードでの原稿Ｇの読み取り時に、異常検出タイミング、すなわち、原稿Ｇの読み取り前、または、所定のタイミングに、白板５ａを読み取って光路上のコンタクトガラス窓３ａの光路上に付着しているゴミ等の付着による欠陥画素の有無を検出して、警告またはシェーディング補正用の基準データの変更補正を行う。
【００６２】
すなわち、画像読取装置１は、原稿搬送装置５の原稿台７に複数枚の原稿Ｇがセットされ、原稿Ｇの読み取りに必要な各種操作が行われた後、操作部でスタートキーが投入されると、ＣＰＵ２０は、ＳＤＦモードでの読み取りであると判断して、第１走行体１０を白基準板９ａの位置に移動させ、光源１０ａを点灯させて、白基準板９ａの読み取りを行った後、第１走行体１０をコンタクトガラス窓３ａの位置まで移動させて停止させる。その後、ＣＰＵ２０は、ステッピングモータ８を駆動させて、原稿台７にセットされた原稿Ｇを分離ローラ１７で１枚ずつ分離して、搬送ローラ１８、１９で搬送させていき、コンタクトガラス窓３ａの読取位置へと搬送させる。このとき、原稿Ｇは一定速度で搬送され、第１走行体１０及び第２走行体１１は停止したままで、第１走行体１０上の光源１０ａからコンタクトガラス窓３ａを通して当該搬送される原稿Ｇに光を照射して、当該原稿Ｇで反射された原稿Ｇからの光を再びコンタクトガラス窓３ａを通してミラー１０ｂ及び第２走行体１１上のミラー１１ａ、１１ｂで反射して、レンズ１２を通してＣＣＤ１３に入射させ、ＣＣＤ１３で光電変換して、原稿Ｇの画像を読み取る。
【００６３】
このようなＳＤＦモードでの読み取りにおいて、ＣＰＵ２０は、異常検出タイミング、すなわち、原稿Ｇの読み取り前、または、所定のタイミングに、光源１０ａを点灯させてコンタクトガラス窓３ａを通して白板５ａを読み取らせ、当該白板５ａを読み取ったときの画像信号を欠陥検出用画像信号Ｓｃとして欠陥画素検出部６０の２値化処理部６１に入力する。２値化処理部６１で欠陥検出用画像信号Ｓｃを所定の検出閾値で２値化処理することで、欠陥画素を検出して、欠陥検出画像データとして欠陥画素保持部６２に出力し、欠陥画素保持部６２が、検出開始信号のイネーブルに同期して、当該検出した欠陥検出画像データをＳＲＡＭ６３に当該ＳＲＡＭ６３のアドレスと画素位置を対応させて格納する。このＳＲＡＭ６３に格納されている欠陥検出画素データは、上述のように、ゴミ等の付着による欠陥画素が「１」、正常画素が「０」となっている。
【００６４】
そして、ＣＰＵ２０は、このＳＲＡＭ６３の欠陥画素の数をカウントし、カウントした欠陥画素数が、予め設定されている規定画素数以上であると、原稿Ｇを読み取ったときに黒スジや白スジ等の異常画素が発生して画質が悪化する異常状態であると判断して、画像読取装置１の表示部に異常がある旨を表示したり、警告音声を出力する等の警告方法で警告する。
【００６５】
ＣＰＵ２０は、この異常状態の有無の判断を、予め設定された規定画素数に基づいて行っているが、この規定画素数は、画像読取装置１の初期設定において設定されているだけでなく、操作部等から画像読取装置１のユーザが任意に設定することができる。
【００６６】
いま、規定画素数が、例えば、「２」に設定されていると、図８の場合、検出閾値を越えた欠陥画素が、「２」個であるため、ＣＰＵ２０は、異常状態であると判定するが、規定画素数が、例えば、「３」に設定されていると、異常状態とは判断しない。
【００６７】
すなわち、規定画素数を小さな値とすることで、細かなゴミ等についても異常状態と判定して、画像品質を高めることができ、逆に、規定画素数を大きな値とすることで、画像読取装置１の利用者が許容できる程度の画質の画像を読み取る状態として設定することができる。
【００６８】
また、画像読取装置１は、異常状態を検出した場合、上述のように、警告を行うだけでなく、白板５ａを読み取る際のコンタクトガラス窓３ａに対する第１走行体１０の読取位置を変更して、異常状態を解消して、原稿Ｇの読み取りを行うようにしても良い。
【００６９】
すなわち、上述のように、白板５ａや原稿Ｇの読取位置は、例えば、図９にＡ位置として予め設定されているが、図９に示すように、Ａ位置で読み取ると、コンタクトガラス窓３ａに付着している３個のゴミａ、ｂ、ｃが欠陥画素となって、規定画素数が、例えば、「３」であると、ＣＰＵ２０は、異常状態と判定する。
【００７０】
この場合、ＣＰＵ２０は、読取位置がＡ位置（ライン）からＢ位置（ライン）となるように、第１走行体１０を移動させ、再度、欠陥画素の検出動作処理を行って、異常状態の判定を行う。図９から分かるように、読取位置をＢ位置に変更すると、検出される欠陥画素は、ゴミａのみであるため、欠陥画素の数が「１」となって、ＣＰＵ２０は、異常状態とは判定しない。
【００７１】
そして、ＣＰＵ２０は、警告を行うことなく、このＢ位置で原稿Ｇの読み取りを行わせる。
【００７２】
このようにすると、画像読取装置１の利用者が警告に対応するための処理を行うことなく、良好な画質の画像を読み取ることができ、利用性を向上させることができるとともに、読取画像の画像品質を向上させることができる。
【００７３】
さらに、画像読取装置１は、異常状態を検出した場合、シェーディング補正用の基準データの変更補正を行ってもよい。
【００７４】
すなわち、欠陥検出画素データは、上述のように、ＳＲＡＭ６３のアドレスと画素位置を対応させてＳＲＡＭ６３に格納されているため、欠陥画素の画素位置を知ることができる。一方、画像読取装置１は、上述のように、シェーディング補正処理部４２が、白基準板９を読み取った際の画像データを内部ＲＡＭにシェーディング補正用の基準データとして記憶しており、ＣＰＵ２０が、この基準データのうち、図８の下部に示すように、ゴミ位置（欠陥画素位置）の画素の基準データを暗いデータに変更し、通常のシェーディング補正を行って白にとばすようにする。このように欠陥画素位置の画素のシェーディング補正データを暗いデータに補正すると、複雑な演算補正処理を行うことなく、黒スジとなる画素に対して、白への変換を適切に行うことができ、安価に画像品質を向上させることができる。
【００７５】
また、異常状態の判定においては、検出した欠陥画素の数に基づいて行うものに限るものではなく、例えば、検出した画素の連続数（連続する欠陥画素の数）に基づいて判定してもよい。
【００７６】
この場合、欠陥画素を検出すると、次の画素が欠陥画素であるか判定して欠陥画素の連続数をカウント、または、ある画素について欠陥画素であると判定すると、当該欠陥画素の前の画素に対する欠陥画素の連続数をカウントして、欠陥画素の連続数を検出する。
【００７７】
そして、ＣＰＵ２０は、このＳＲＡＭ６３の連続する欠陥画素をカウントして欠陥画素の連続数を取得すると、当該取得した欠陥画素の連続数が、予め設定されている規定画素連続数以上であると、原稿Ｇを読み取ったときに黒スジや白スジ等の異常画素が発生して画質が悪化する異常状態であると判断して、上述のように、画像読取装置１の表示部に異常がある旨を表示したり、警告音声を出力する等の警告方法で警告し、また、図９に示したように、コンタクトガラス窓３ａでの読取位置を変更したり、または、シェーディング補正データの変更補正を行う。
【００７８】
さらに、画像読取装置１は、上記欠陥画素であるか否かの判定を、２値化処理部６１で、予め設定された所定の検出閾値レベルで２値化処理することで行っているが、この検出閾値レベルを画像読取装置１の利用者が操作部でのキー操作等で任意に設定できるようにしてもよい。
【００７９】
例えば、検出閾値（規定値）のレベルを下げることで、細かなゴミ等についても欠陥画素として検出して、画像品質を高めることができ、逆に、検出閾値のレベルを上げることで、画像読取装置１の利用者が許容できる程度の画質の画像を読み取る状態として設定することができる。
【００８０】
また、画像読取装置１は、上記異常状態であると判定したとき、上述のように警告するか、シェーディング補正用の基準データを自動変更補正するかを選択する選択ボタン（選択手段）を操作部等に設け、当該選択ボタンでの選択に応じて、警告または基準データの自動変更補正を実行するようにしてもよい。
【００８１】
このように、本実施の形態の画像読取装置１は、読取位置の原稿通路に原稿Ｇが存在しないときに露光走査光学系１５の第１走行体１０からの読取光が照射される位置に配設されている白板５ａを、原稿読取前または所定のタイミングで読み取って、白板５ａを読み取ったときの画像信号の濃度を示す値を所定の規定値（検出閾値）と画素毎に比較して欠陥画素を検出し、当該欠陥画素の画素数が所定の規定画素数以上であると、異常であると判定する異常判定処理を行っている。
【００８２】
したがって、異常画像を補正する大型の回路やソフトウェアを設けることなく、たとえ欠陥画素が検出されても、欠陥画素が少なく実使用上耐えうる程度であるときには、異常と判定することなく、画像読取を継続して、実用上問題となる程度のときに異常と判定することができ、利用性を向上させることができるとともに、安価に画像品質の良好な画像を処理することができる。
【００８３】
また、本実施の形態の画像読取装置１は、欠陥画素の連続数が所定の規定画素連続数以上であると、異常であると判定する異常判定処理を行っている。
【００８４】
したがって、異常画像を補正する大型の回路やソフトウェアを設けることなく、たとえ欠陥画素が検出されても、欠陥画素が恒久的なものではなく一時的で実使用上耐えうる程度であるときには、異常と判定することなく、画像読取を継続して、実用上問題となる程度のときに適切に異常と判定することができ、利用性を向上させることができるとともに、安価に画像品質のより一層良好な画像を処理することができる。
【００８５】
さらに、本実施の形態の画像読取装置１は、規定画素数または規定画素連続数を適宜変更可能とし、当該規定画素数または当該規定画素連続数が変更されると、当該変更後の規定画素数または規定画素連続数に基づいて異常判定を行っている。
【００８６】
したがって、画像読取装置１の利用環境や利用者の利用目的等に応じて異常判定レベルを適宜変更可能とすることができ、利用性をより一層向上させることができる。
【００８７】
また、本実施の形態の画像読取装置１は、白板５ａの読み取りを異なるライン位置で複数回行って、欠陥画素の最も少ないライン位置で読み取ったときの画像信号に基づいて異常判定を行うとともに、当該異常判定で異常と判定されないときには、当該欠陥画素の最も少ないライン位置で原稿の読み取りを行っている。
【００８８】
したがって、画像読取装置１の使用環境や使用状況によって発生する黒スジの原因となるゴミ・汚れ等の検出位置を調整することによって、たとえ欠陥画素が少なく異常が認められても実使用上耐えうる状態に回避できる場合に、継続して使用できるようにすることができ、利用性をより一層向上させることができる。
【００８９】
さらに、本実施の形態の画像読取装置１は、異常であると判定すると、異常である旨を報知出力する異常報知処理と、当該異常判定の元となった欠陥画素位置のシェーディング補正の基準データを変更補正する補正処理と、のうちいずれか一方を行っている。
【００９０】
したがって、異常を利用者に認識させ、または、欠陥画素が原稿読取画像に影響することを防止することができ、ゴミ等の付着に対して適切に対処して、利用性を向上させることができるとともに、画像品質を向上させることができる。
【００９１】
また、本実施の形態の画像読取装置１は、異常であると判定すると、操作部からの選択に応じて異常報知処理または補正処理を行っている。
【００９２】
したがって、利用者の利用目的や利用形態に応じて、利用者が異常報知と補正を選択できるようにすることができ、より一層利用性を向上させることができるとともに、画像品質を向上させることができる。
【００９３】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００９４】
【発明の効果】
請求項１記載の発明の画像処理装置によれば、少なくとも搬送される原稿に読取位置で静止する読取手段から読取光を照射して、当該読取光の反射光を読取手段の光電変換素子で画像データに変換して原稿の画像を読み取るとともに、白基準板を読み取って取得した基準データに基づいて原稿を読み取った画像データをシェーディング補正するに際して、読取位置の原稿通路に原稿が存在しないときに読取手段からの読取光が照射される位置に配設されている白板を、原稿読取前または所定のタイミングで読取手段で読み取って、当該白板を読み取ったときの画像信号の濃度を示す値を所定の規定値と画素毎に比較して欠陥画素を検出し、当該欠陥画素の画素数が所定の規定画素数以上であると、異常であると判定する異常判定処理を行うので、異常画像を補正する大型の回路やソフトウェアを設けることなく、たとえ欠陥画素が検出されても、欠陥画素が少なく実使用上耐えうる程度であるときには、異常と判定することなく、画像読取を継続して、実用上問題となる程度のときに異常と判定することができ、利用性を向上させることができるとともに、安価に画像品質の良好な画像を処理することができる。
【００９５】
請求項２記載の発明の画像処理装置によれば、少なくとも搬送される原稿に読取位置で静止する読取手段から読取光を照射して、当該読取光の反射光を読取手段の光電変換素子で画像データに変換して原稿の画像を読み取るとともに、白基準板を読み取って取得した基準データに基づいて原稿を読み取った画像データをシェーディング補正するに際して、読取位置の原稿通路に原稿が存在しないときに読取手段からの読取光が照射される位置に配設されている白板を、原稿読取前または所定のタイミングで読取手段で読み取って、当該白板を読み取ったときの画像信号の濃度を示す値を所定の規定値と画素毎に比較して欠陥画素を検出し、当該欠陥画素の連続数が所定の規定画素連続数以上であると、異常であると判定する異常判定処理を行うので、異常画像を補正する大型の回路やソフトウェアを設けることなく、たとえ欠陥画素が検出されても、欠陥画素が恒久的なものではなく一時的で実使用上耐えうる程度であるときには、異常と判定することなく、画像読取を継続して、実用上問題となる程度のときに適切に異常と判定することができ、利用性を向上させることができるとともに、安価に画像品質のより一層良好な画像を処理することができる。
【００９６】
請求項３記載の発明の画像処理装置によれば、規定画素数または規定画素連続数を適宜変更可能とし、当該規定画素数または当該規定画素連続数が変更されると、当該変更後の規定画素数または規定画素連続数に基づいて異常判定を行うので、画像処理装置の利用環境や利用者の利用目的等に応じて異常判定レベルを適宜変更可能とすることができ、利用性をより一層向上させることができる。
【００９７】
請求項４記載の発明の画像処理装置によれば、読取手段による白板の読み取りを異なるライン位置で複数回行って、欠陥画素の最も少ないライン位置で読み取ったときの画像信号に基づいて異常判定を行うとともに、当該異常判定で異常と判定されないときには、当該欠陥画素の最も少ないライン位置で原稿の読み取りを行うので、画像処理装置の使用環境や使用状況によって発生する黒スジの原因となるゴミ・汚れ等の検出位置を調整することによって、たとえ欠陥画素が少なく異常が認められても実使用上耐えうる状態に回避できる場合に、継続して使用できるようにすることができ、利用性をより一層向上させることができる。
【００９８】
請求項５記載の発明の画像処理装置によれば、異常であると判定すると、異常報知手段から異常である旨を報知出力する異常報知処理と、当該異常判定の元となった欠陥画素位置のシェーディング補正の基準データを変更補正する補正処理と、のうちいずれか一方を行うので、異常を利用者に認識させ、または、欠陥画素が原稿読取画像に影響することを防止することができ、ゴミ等の付着に対して適切に対処して、利用性を向上させることができるとともに、画像品質を向上させることができる。
【００９９】
請求項６記載の発明の画像処理装置によれば、異常であると判定すると、異常報知処理と補正処理を選択する選択手段での選択に応じて異常報知処理または補正処理を行うので、利用者の利用目的や利用形態に応じて、利用者が異常報知と補正を選択できるようにすることができ、より一層利用性を向上させることができるとともに、画像品質を向上させることができる。
【図面の簡単な説明】
【図１】本発明の画像処理装置の一実施の形態を適用した画像読取装置の概略構成正面図。
【図２】図１の画像読取装置のブックモードでの読取動作時の要部概略構成正面図。
【図３】図１の画像読取装置のＡＤＦモードでの読取動作時の要部概略構成正面図。
【図４】図１の画像読取装置の要部回路ブロック構成図。
【図５】図４の画像処理部の詳細な回路ブロック構成図。
【図６】図５の画像処理部のさらに詳細な回路ブロック構成図。
【図７】図１の画像読取装置の欠陥画素検出部の回路ブロック構成図。
【図８】図１の画像読取装置によるゴミ付着時の白板を読み取った検出用画像信号とシェーディングデータ（基準データ）を示す図。
【図９】図１の画像読取装置による廃盤を異なる読取ラインで読み取る場合の動作説明図。
【符号の説明】
１  画像読取装置
２  本体筐体
３  原稿読取台
３ａ  コンタクトガラス窓
３ｂ  透過ガラス
４  原稿押さえ板
５  原稿搬送装置
５ｂ  白板
６  ＳＤＦユニット
７  原稿台
８  ステッピングモータ
９  白基準板
１０  第１走行体
１０ａ  光源
１０ｂ  ミラー
１１  第２走行体
１１ａ、１１ｂ  ミラー
１２  レンズ
１３  ＣＣＤ
１４  ステッピングモータ
１５  露光走査光学系
１６  原稿
１７  分離ローラ
１８、１９  搬送ローラ
２０  ＣＰＵ
２１  ＲＯＭ
２２  ＲＡＭ
２３  光源ドライバ
２４  ＣＣＤ駆動部
２５  画像処理部
２６  スキャンバッファ
２７  バッファコントローラ
２８  Ｉ／Ｆコントローラ
２９  モータドライバ
３０  モータドライバ
４１  アナログビデオ処理部
４２  シェーディング補正処理部
４３  画像データ処理部
４４  タイミング発生部
４５  ２値化処理部
５１  プリアンプ回路
５２  可変増幅回路
５３  Ａ／Ｄコンバータ
５４  黒演算回路
５５  シェーディング補正演算回路
５６  ラインバッファ
６０  欠陥画素検出部
６１  ２値化処理部
６２  欠陥画素保持部
６３  ＳＲＡＭ
７０  Ｉ／Ｆコントローラ
【図１】
2004222180.tif 000003
【図２】
2004222180.tif 000004
【図３】
2004222180.tif 000005
【図４】
2004222180.tif 000006
【図５】
2004222180.tif 000007
【図６】
2004222180.tif 000008
【図７】
2004222180.tif 000009
【図８】
2004222180.tif 000010
【図９】
2004222180.tif 000011